(57)【要約】【課題】バッテリーポストに対するバッテリー端子の組み付け精度を向上することができるバッテリー端子ストッパ、及び、バッテリー端子ユニットを提供することを目的とする。【解決手段】バッテリー端子ユニット１は、バッテリーポスト５１に組み付けられるバッテリー端子２と、バッテリー端子ストッパ３とを備える。バッテリー端子ストッパ３は、バッテリー端子２がバッテリーポスト５１に組み付けられた状態で、バッテリー筐体５２の側面に形成された第１当接面５７と当接することでバッテリーポスト５１を回転中心としたバッテリー端子２の回転を規制可能である第１回り止め部３３と、組み付け状態で、第１当接面５７と交差する方向に沿ってバッテリー筐体５２に形成された第２当接面５８と当接することでバッテリーポスト５１を回転中心としたバッテリー端子２の回転を規制可能である第２回り止め部３４とを有する。【選択図】図１
2015118855.tif 000002
【特許請求の範囲】
【請求項１】
バッテリー筐体に設けられたバッテリーポストに組み付けられるバッテリー端子に装着可能である装着部と、
前記装着部に設けられ、前記バッテリー端子が前記装着部と共に前記バッテリーポストに組み付けられた状態で、前記バッテリー筐体の側面に形成された第１当接面と対向し、当該第１当接面と当接することで前記バッテリーポストを回転中心とした前記バッテリー端子の回転を規制可能である第１回り止め部と、
前記装着部に設けられ、前記バッテリー端子が前記装着部と共に前記バッテリーポストに組み付けられた状態で、前記第１当接面と交差する方向に沿って前記バッテリー筐体に形成された第２当接面と対向し、当該第２当接面と当接することで前記バッテリーポストを回転中心とした前記バッテリー端子の回転を規制可能である第２回り止め部とを備えることを特徴とする、
バッテリー端子ストッパ。
【請求項２】
前記第２当接面は、前記バッテリー筐体において前記バッテリーポストが設けられるポスト立設面に形成され当該バッテリーポストが立設される凹部の壁面であって前記第１当接面が形成された前記バッテリー筐体の側面と直交する壁面に形成される、
請求項１に記載のバッテリー端子ストッパ。
【請求項３】
前記第２当接面は、前記バッテリー筐体において前記第１当接面が形成された前記バッテリー筐体の側面と直交する側面に形成される、
請求項１に記載のバッテリー端子ストッパ。
【請求項４】
前記第１回り止め部、及び、前記第２回り止め部は、前記装着部と一体で形成され、
前記装着部は、前記バッテリー端子が前記装着部と共に前記バッテリーポストに組み付けられた状態で、前記バッテリー端子と前記バッテリー筐体との間に介在する、
請求項１乃至請求項３のいずれか１項に記載のバッテリー端子ストッパ。
【請求項５】
バッテリー筐体に設けられたバッテリーポストに組み付けられるバッテリー端子と、
前記バッテリー端子に装着可能である装着部と、前記装着部に設けられ、前記バッテリー端子が前記装着部と共に前記バッテリーポストに組み付けられた状態で、前記バッテリー筐体の側面に形成された第１当接面と対向し、当該第１当接面と当接することで前記バッテリーポストを回転中心とした前記バッテリー端子の回転を規制可能である第１回り止め部と、前記装着部に設けられ、前記バッテリー端子が前記装着部と共に前記バッテリーポストに組み付けられた状態で、前記第１当接面と交差する方向に沿って前記バッテリー筐体に形成された第２当接面と対向し、当該第２当接面当接することで前記バッテリーポストを回転中心とした前記バッテリー端子の回転を規制可能である第２回り止め部とを有するバッテリー端子ストッパとを備えることを特徴とする、
バッテリー端子ユニット。
【発明の詳細な説明】
【技術分野】
【０００１】
本発明は、バッテリー端子ストッパ、及び、バッテリー端子ユニットに関する。
【背景技術】
【０００２】
従来のバッテリー端子ストッパ、及び、バッテリー端子ユニットとして、例えば、特許文献１には、バッテリーに立設されたバッテリーポストに対して接続されるバッテリー端子と、このバッテリー端子に取り付けられた合成樹脂製の回動規制部材とを備えるバッテリー端子ユニットが開示されている。このバッテリー端子ユニットの回動規制部材は、バッテリー端子がバッテリーポストに接続された状態でバッテリーに当接することでバッテリーポストに対するバッテリー端子の組み付け角度を規制可能な構成となっている。
【先行技術文献】
【特許文献】
【０００３】
【特許文献１】特開２０１０−４０２５８号公報
【発明の概要】
【発明が解決しようとする課題】
【０００４】
ところで、上述の特許文献１に記載のバッテリー端子ユニットは、例えば、バッテリーを搭載するスペースの関係上、バッテリーポストに対するバッテリー端子の組み付け精度の向上の点でさらなる改善が望まれている。
【０００５】
本発明は、上記の事情に鑑みてなされたものであって、バッテリーポストに対するバッテリー端子の組み付け精度を向上することができるバッテリー端子ストッパ、及び、バッテリー端子ユニットを提供することを目的とする。
【課題を解決するための手段】
【０００６】
上記目的を達成するために、本発明に係るバッテリー端子ストッパは、バッテリー筐体に設けられたバッテリーポストに組み付けられるバッテリー端子に装着可能である装着部と、前記装着部に設けられ、前記バッテリー端子が前記装着部と共に前記バッテリーポストに組み付けられた状態で、前記バッテリー筐体の側面に形成された第１当接面と対向し、当該第１当接面と当接することで前記バッテリーポストを回転中心とした前記バッテリー端子の回転を規制可能である第１回り止め部と、前記装着部に設けられ、前記バッテリー端子が前記装着部と共に前記バッテリーポストに組み付けられた状態で、前記第１当接面と交差する方向に沿って前記バッテリー筐体に形成された第２当接面と対向し、当該第２当接面と当接することで前記バッテリーポストを回転中心とした前記バッテリー端子の回転を規制可能である第２回り止め部とを備えることを特徴とする。
【０００７】
また、上記バッテリー端子ストッパでは、前記第２当接面は、前記バッテリー筐体において前記バッテリーポストが設けられるポスト立設面に形成され当該バッテリーポストが立設される凹部の壁面であって前記第１当接面が形成された前記バッテリー筐体の側面と直交する壁面に形成されるものとすることができる。
【０００８】
また、上記バッテリー端子ストッパでは、前記第２当接面は、前記バッテリー筐体において前記第１当接面が形成された前記バッテリー筐体の側面と直交する側面に形成されるものとすることができる。
【０００９】
また、上記バッテリー端子ストッパでは、前記第１回り止め部、及び、前記第２回り止め部は、前記装着部と一体で形成され、前記装着部は、前記バッテリー端子が前記装着部と共に前記バッテリーポストに組み付けられた状態で、前記バッテリー端子と前記バッテリー筐体との間に介在するものとすることができる。
【００１０】
上記目的を達成するために、本発明に係るバッテリー端子ユニットは、バッテリー筐体に設けられたバッテリーポストに組み付けられるバッテリー端子と、前記バッテリー端子に装着可能である装着部と、前記装着部に設けられ、前記バッテリー端子が前記装着部と共に前記バッテリーポストに組み付けられた状態で、前記バッテリー筐体の側面に形成された第１当接面と対向し、当該第１当接面と当接することで前記バッテリーポストを回転中心とした前記バッテリー端子の回転を規制可能である第１回り止め部と、前記装着部に設けられ、前記バッテリー端子が前記装着部と共に前記バッテリーポストに組み付けられた状態で、前記第１当接面と交差する方向に沿って前記バッテリー筐体に形成された第２当接面と対向し、当該第２当接面と当接することで前記バッテリーポストを回転中心とした前記バッテリー端子の回転を規制可能である第２回り止め部とを有するバッテリー端子ストッパとを備えることを特徴とする。
【発明の効果】
【００１１】
本発明に係るバッテリー端子ストッパ、及び、バッテリー端子ユニットは、第１回り止め部がバッテリー筐体の第１当接面と当接しバッテリー端子の回転を規制し、あるいは、第２回り止め部がバッテリー筐体の第２当接面と当接しバッテリー端子の回転を規制することで、バッテリーポストに対するバッテリー端子の組み付け角度の許容範囲を相対的に狭い範囲に限定することができるので、バッテリーポストに対するバッテリー端子の組み付け精度を向上することができる、という効果を奏する。
【図面の簡単な説明】
【００１２】
【図１】図１は、実施形態１に係るバッテリー端子ユニットの概略構成を表す部分斜視図である。
【図２】図２は、実施形態１に係るバッテリー端子ユニットの概略構成を表す部分平面図である。
【図３】図３は、実施形態１に係るバッテリー端子の概略構成を表す斜視図である。
【図４】図４は、実施形態１に係るバッテリー端子ユニットの概略構成を表す分解斜視図である。
【図５】図５は、実施形態１に係るバッテリー端子ユニットの概略構成を表す斜視図である。
【図６】図６は、図５中のＡ矢視図である。
【図７】図７は、図５中のＢ矢視図である。
【図８】図８は、実施形態１に係るバッテリー端子ユニットの組み付け角度の許容範囲について説明するための部分平面図である。
【図９】図９は、実施形態１に係るバッテリー端子ユニットの組み付け角度の許容範囲について説明するための部分平面図である。
【図１０】図１０は、実施形態２に係るバッテリー端子ユニットの概略構成を表す部分斜視図である。
【図１１】図１１は、実施形態２に係るバッテリー端子ユニットの概略構成を表す部分平面図である。
【図１２】図１２は、実施形態２に係るバッテリー端子ユニットの概略構成を表す分解斜視図である。
【図１３】図１３は、実施形態２に係るバッテリー端子ユニットの概略構成を表す斜視図である。
【図１４】図１４は、変形例に係るバッテリー端子ユニットの概略構成を表す部分平面図である。
【図１５】図１５は、変形例に係るバッテリー端子ユニットの概略構成を表す部分平面図である。
【図１６】図１６は、変形例に係るバッテリー端子ユニットの概略構成を表す部分平面図である。
【図１７】図１７は、変形例に係るバッテリー端子ユニットの概略構成を表す部分平面図である。
【発明を実施するための形態】
【００１３】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。
【００１４】
［実施形態１］
図１は、実施形態１に係るバッテリー端子ユニットの概略構成を表す部分斜視図である。図２は、実施形態１に係るバッテリー端子ユニットの概略構成を表す部分平面図である。なお、以下の説明では、バッテリーポストの中心軸線Ｘに沿った方向を軸方向という。またここでは、以下の説明を分かり易くするために、便宜的に当該軸方向と直交する２方向のうち一方を長辺方向（第１の幅方向）、他方を短辺方向（第２の幅方向）という。これら軸方向、長辺方向、及び、短辺方向は互いに直交する。
【００１５】
図１、図２に示す本実施形態に係るバッテリー端子ユニット１は、バッテリー５０のバッテリーポスト５１に組み付けられるものであり、バッテリー端子２と、バッテリー端子ストッパ３とを備える。
【００１６】
ここで、このバッテリー端子ユニット１が適用されるバッテリー５０は、例えば、車両等に蓄電装置として搭載されるものである。バッテリー５０は、バッテリー液や当該バッテリー５０を構成する種々の部品を収容するバッテリー筐体５２、当該バッテリー筐体５２に設けられた上述のバッテリーポスト５１等を含んで構成される。バッテリー筐体５２は、いずれか１つの面が開放された略矩形箱状の筐体本体５３と、上記開放された面を閉塞させる蓋部材５４とを含んで構成され、全体として略直方体形状に形成される。ここでは、バッテリー筐体５２は、長辺方向に沿った方向が長辺、短辺方向に沿った方向が短辺となるがこれに限らない。バッテリーポスト５１は、鉛等により構成され、蓋部材５４のポスト立設面５５に立設される。ポスト立設面５５は、バッテリー筐体５２においてバッテリーポスト５１が立設される面である。ここでは、当該ポスト立設面５５は、例えば、バッテリー５０が車両等に搭載された状態で、蓋部材５４の鉛直方向上側の面である。バッテリーポスト５１は、略円柱形状であり、中心軸線Ｘがポスト立設面５５と直交するような位置関係で当該ポスト立設面５５上に突出するようにして立設される。より詳細には、本実施形態のバッテリーポスト５１は、ポスト立設面５５の角位置近傍に形成された凹部５６内に立設される。当該凹部５６は、ポスト立設面５５の角位置近傍において略矩形状に陥没した部分である。バッテリーポスト５１は、この凹部５６内に立設されている。バッテリーポスト５１は、典型的には、軸方向の先端側に進むにつれて径が小さくなるようテーパが付けられている。つまり、バッテリーポスト５１は、先端の外径が基端の外径より小さいテーパ形状となる。
【００１７】
そして、本実施形態のバッテリー端子ユニット１は、バッテリー端子２がバッテリーポスト５１に組み付けられた状態で、バッテリーポスト５１の中心軸線Ｘを回転中心としたバッテリー端子２の回転をバッテリー端子ストッパ３によって規制することで、バッテリーポスト５１に対するバッテリー端子２の組み付け角度を制限するものである。これにより、バッテリー端子ユニット１は、バッテリー端子２の組み付け精度の向上を図るものである。以下、バッテリー端子ユニット１の各構成について詳細に説明する。
【００１８】
図３は、実施形態１に係るバッテリー端子の概略構成を表す斜視図である。ここではまず、図１、図２、及び、図３を参照して、バッテリー端子２の構成について説明する。
【００１９】
バッテリー端子２は、バッテリーポスト５１に取り付けられることにより、バッテリー５０と、このバッテリー５０が搭載される車両等の本体側の電線の末端に設けられた金具等とを電気的に接続するための部品である。バッテリー端子２は、本体部２１と、スタッドボルト２２と、締付部２３とを備える。
【００２０】
本体部２１は、例えば、導電性を有する金属板のプレス折り曲げ加工により、一対の環状部２１ａ、２１ｂ、一対のボルト保持部２１ｃ、２１ｄ、及び、屈曲連結部２１ｅが一体で形成される。一対の環状部２１ａ、２１ｂは、略矩形状に形成され、それぞれバッテリーポスト５１が挿入される略円形状のポスト挿入孔２１ｆ、２１ｇが形成される。一対のボルト保持部２１ｃ、２１ｄは、略矩形状に形成され、ボルト保持部２１ｃ側にスタッドボルト２２が挿入される略円形状のボルト挿入孔２１ｈが形成される。ボルト保持部２１ｃは、環状部２１ａと連続するように一体で形成され、ボルト保持部２１ｄは、環状部２１ｂと連続するように一体で形成される。そして、環状部２１ａと環状部２１ｂとは、それぞれボルト保持部２１ｃ、２１ｄが設けられている端部とは反対側の端部同士が屈曲連結部２１ｅを介して連続するように一体で形成される。これにより、本体部２１は、屈曲連結部２１ｅを挟んで、Ｕターン状に折り返された状態に形成され、環状部２１ａ、ボルト保持部２１ｃと環状部２１ｂ、ボルト保持部２１ｄとがそれぞれ上下に略平行に積層された状態となるように形成される。
【００２１】
なお、ここで、上下に積層された状態とは、典型的には、バッテリー端子２がバッテリーポスト５１に組み付けられた状態で、バッテリーポスト５１の軸方向に沿って積層されるような状態に相当する。また、積層方向は、典型的には、バッテリー端子２がバッテリーポスト５１に組み付けられた状態で、軸方向に沿った方向であり、ここでは後述のスタッドボルト２２の軸部２２ａが突出する側を積層方向上側、反対側を積層方向下側とする。また、積層方向上側とは、バッテリーポスト５１の先端側に相当し、積層方向下側とは、バッテリーポスト５１の基端側に相当する。ここでは、本体部２１は、環状部２１ａ、ボルト保持部２１ｃが積層方向上側、環状部２１ｂ、ボルト保持部２１ｄが積層方向下側となる。
【００２２】
一対の環状部２１ａ、２１ｂは、屈曲連結部２１ｅを介して上下に積層された状態でポスト挿入孔２１ｆとポスト挿入孔２１ｇとが積層方向に対向する位置関係となるように当該ポスト挿入孔２１ｆ、ポスト挿入孔２１ｇが形成される。ポスト挿入孔２１ｆ、ポスト挿入孔２１ｇは、板金が同一の方向、ここでは下側に折り返されることでそれぞれ内周壁面が形成される。ポスト挿入孔２１ｆ、ポスト挿入孔２１ｇは、それぞれの内周壁面に上述したバッテリーポスト５１のテーパに対応したテーパを有している。ここでは、ポスト挿入孔２１ｆとポスト挿入孔２１ｇとのうち後述するスタッドボルト２２の軸部２２ａが突出する側、すなわち、ポスト挿入孔２１ｆ側の内径が最小となり、反対側のポスト挿入孔２１ｇ側の内径が最大となる。ポスト挿入孔２１ｆ、ポスト挿入孔２１ｇは、バッテリーポスト５１が挿入された状態で、各内周面がバッテリーポスト５１と接触する。また、一対の環状部２１ａ、２１ｂは、屈曲連結部２１ｅと一対のボルト保持部２１ｃ、２１ｄとの間の縁部が互いに向けて折り返されており、凹凸上に形成された互いの折り返し部２１ｉ、２１ｊが相互に係合する。
【００２３】
一対のボルト保持部２１ｃ、２１ｄは、折り曲げ加工の前に事前にボルト挿入孔２１ｈにスタッドボルト２２が挿入された状態で折り曲げ加工されることで、屈曲連結部２１ｅを介して上下に積層された状態で当該スタッドボルト２２を保持する。つまり、本体部２１は、一対のボルト保持部２１ｃ、２１ｄの積層方向に対して当該ボルト保持部２１ｃとボルト保持部２１ｄとの間にスタッドボルト２２を保持する。
【００２４】
スタッドボルト２２は、ボルト保持部２１ｃとボルト保持部２１ｄとの間に保持された状態で、ボルト挿入孔２１ｈから軸部２２ａが突出するようにして露出している。スタッドボルト２２は、ボルト挿入孔２１ｈから露出した当該軸部２２ａに電線の末端に設けられた金具等が電気的に接続される。
【００２５】
また、本体部２１は、屈曲連結部２１ｅ及び環状部２１ａ、２１ｂにおいて、当該屈曲連結部２１ｅからポスト挿入孔２１ｆ、ポスト挿入孔２１ｇまで延在するスリット（間隙）２１ｋが形成される。
【００２６】
締付部２３は、ポスト挿入孔２１ｆ、ポスト挿入孔２１ｇ内にバッテリーポスト５１が挿入された状態で、一対の環状部２１ａ、２１ｂを当該バッテリーポスト５１に締結するものである。締付部２３は、ボルト２３ａと、ナット２３ｂとを含んで構成される。ボルト２３ａは、スリット２１ｋを横断するような位置関係で屈曲連結部２１ｅの一端部から挿入される。つまり、ボルト２３ａは、屈曲連結部２１ｅを介して上下に積層された状態の一対の環状部２１ａ、２１ｂの間にスリット２１ｋを横断するように形成される挿入孔部に挿入される。そして、ボルト２３ａは、屈曲連結部２１ｅの他端部から露出する先端部分にナット２３ｂが螺合される。
【００２７】
上記のように構成されるバッテリー端子２は、スタッドボルト２２の軸部２２ａが露出するような位置関係でポスト挿入孔２１ｆ、ポスト挿入孔２１ｇにバッテリーポスト５１が挿入されることで、バッテリーポスト５１に組み付けられる。そして、バッテリー端子２は、ポスト挿入孔２１ｆ、ポスト挿入孔２１ｇの内周面とバッテリーポスト５１の外周面とが接触した状態で締付部２３のボルト２３ａ及びナット２３ｂが締め付けられることで、スリット２１ｋを挟んで屈曲連結部２１ｅ及び環状部２１ａ、２１ｂの両側が接近方向に締め付けられる。これにより、バッテリー端子２は、ポスト挿入孔２１ｆ、ポスト挿入孔２１ｇの内周面とバッテリーポスト５１の外周面とが接触した状態でポスト挿入孔２１ｆ、ポスト挿入孔２１ｇの径が縮小されることで、締付部２３の締付力によってバッテリーポスト５１に締結される。そして、バッテリー端子２は、スタッドボルト２２の軸部２２ａに電線の末端に設けられた金具等が電気的に接続される。一方、バッテリー端子２は、締付部２３のボルト２３ａ及びナット２３ｂを緩めれば、スリット２１ｋを挟んで屈曲連結部２１ｅ及び環状部２１ａ、２１ｂの両側が離間方向に緩められる。これにより、バッテリー端子２は、ポスト挿入孔２１ｆ、ポスト挿入孔２１ｇの径が拡大されることで、バッテリーポスト５１から取り外し可能な状態となる。
【００２８】
そして、本実施形態のバッテリー端子ユニット１は、バッテリーポスト５１へのバッテリー端子２の組み付けの前に、バッテリー端子２にバッテリー端子ストッパ３を装着しておくことで、バッテリー端子２の組み付け精度を向上することができる。
【００２９】
図４は、実施形態１に係るバッテリー端子ユニットの概略構成を表す分解斜視図である。図５は、実施形態１に係るバッテリー端子ユニットの概略構成を表す斜視図である。図６は、図５中のＡ矢視図である。図７は、図５中のＢ矢視図である。図１、図２、図４〜図７を参照して、バッテリー端子ストッパ３の構成について説明する。
【００３０】
バッテリー端子ストッパ３は、図１、図２等に示すように、バッテリー筐体５２の蓋部材５４とバッテリー端子２との間に介在する部材であり、装着部３１と、蓋部３２と、第１回り止め部３３と、第２回り止め部３４とを備える。本実施形態のバッテリー端子ストッパ３は、バッテリー液に対しての耐食性を持たせるために（防食機能を持たせるために）、合成樹脂材料等によって、装着部３１、蓋部３２、第１回り止め部３３、及び、第２回り止め部３４が一体で形成される。
【００３１】
装着部３１は、バッテリー端子２に装着可能な部分である。装着部３１は、図４、図５等に示すように、バッテリー端子２の環状部２１ｂ、ボルト保持部２１ｄ側、すなわち、積層方向下側に装着され、これら環状部２１ｂ、ボルト保持部２１ｄの積層方向下側を覆うものである。装着部３１は、板状の部材に壁面が形成されることで環状部２１ｂ、ボルト保持部２１ｄを収容する収容凹部３１ａが形成される。装着部３１は、この収容凹部３１ａの底部を構成する板状の部分が環状部２１ｂ、ボルト保持部２１ｄとバッテリー筐体５２の蓋部材５４との間に介在する。
【００３２】
装着部３１は、収容凹部３１ａ内に、バッテリー端子２を仮止めするための３つの仮ロック爪３１ｂ、３１ｃ、３１ｄと、バッテリーポスト５１が挿入される略円形状のポスト挿入孔３１ｅが形成される。仮ロック爪３１ｂ及び仮ロック爪３１ｃは、ポスト挿入孔３１ｅの脇の位置であって、バッテリー端子ユニット１がバッテリーポスト５１に組み付けられた状態で長辺方向となる方向（以下、単に「長辺方向」という場合がある。）に対してポスト挿入孔３１ｅを挟んで対称な位置に形成される。仮ロック爪３１ｄは、バッテリー端子ユニット１がバッテリーポスト５１に組み付けられた状態で短辺方向となる方向（以下、単に「短辺方向」という場合がある。）に対して、ポスト挿入孔３１ｅから離間した位置に形成される。装着部３１は、バッテリー端子２に装着される際には、仮ロック爪３１ｂがバッテリー端子２の折り返し部２１ｉ、２１ｊの脇の隙間２１ｌ（図３参照）に係合し、仮ロック爪３１ｃが折り返し部２１ｉ、２１ｊの脇の隙間２１ｍ（図４参照）に係合し、仮ロック爪３１ｄがボルト保持部２１ｃとボルト保持部２１ｄとの間の隙間２１ｎ（図３参照）に係合する。これにより、装着部３１は、収容凹部３１ａ内にバッテリー端子２を仮止めすることができる。そして、装着部３１は、バッテリー端子２を仮止めした状態で、バッテリー端子ユニット１がバッテリーポスト５１に組み付けられた際に軸方向となる方向（以下、単に「軸方向」という場合がある。）に対して、ポスト挿入孔３１ｅがポスト挿入孔２１ｆ、２１ｇと対向する。言い換えれば、装着部３１は、バッテリー端子２を仮止めした状態で、軸方向に対してポスト挿入孔３１ｅがポスト挿入孔２１ｆ、２１ｇと対向するような位置関係となるように、仮ロック爪３１ｂ、３１ｃ、３１ｄ、ポスト挿入孔３１ｅが形成される。また、バッテリー端子２は、装着部３１に仮止めされた状態で、ポスト挿入孔２１ｇの内周壁面が装着部３１のポスト挿入孔３１ｅに嵌合する。なお、装着部３１は、積層方向下側、すなわち、バッテリー端子ユニット１がバッテリーポスト５１に組み付けられた状態で蓋部材５４と対向する側の面が補強リブ等によって補強されている。
【００３３】
蓋部３２は、図４、図５等に示すように、バッテリー端子２の環状部２１ａ側、すなわち、積層方向上側に装着され、環状部２１ａの積層方向上側の一部を覆うものである。蓋部３２は、装着部３１に対して開閉自在に連結されており、装着部３１にバッテリー端子２が仮止めされた状態で閉状態とされることで、装着部３１との間にバッテリー端子２を保持することができる。そして、蓋部３２は、装着部３１との間にバッテリー端子２を保持した状態、すなわち、閉状態で、ロック部３２ａ（図１、図２等も参照）が装着部３１側に係止されることで開放が規制され、これにより、バッテリー端子２を本固定することができる。つまり、このバッテリー端子ストッパ３は、装着部３１と蓋部３２とでバッテリー端子２を挟み込み、この挟み込み状態をロック部３２ａによって維持することにより、バッテリー端子２に対して組み付くようになっている。また、蓋部３２は、バッテリー端子２を本固定した状態で、軸方向に対してポスト挿入孔２１ｆ、２１ｇ、３１ｅと重なる部分に、バッテリーポスト５１が挿入される半円形の切り欠き３２ｂが形成されている。切り欠き３２ｂは、バッテリーポスト５１の形状に対応する形で形成されている。
【００３４】
第１回り止め部３３は、図１、図２、図４〜図６に示すように、装着部３１に設けられる。第１回り止め部３３は、バッテリー端子２が装着部３１と共にバッテリーポスト５１に組み付けられた状態（以下、単に「組み付け状態」という場合がある。）で、バッテリー筐体５２に形成された第１当接面５７と対向する位置に設けられる（図１、図２等参照）。第１当接面５７は、バッテリー筐体５２の側面、ここでは、蓋部材５４のポスト立設面５５に形成された凹部５６近傍の短辺方向に沿った側面に形成される。そして、第１回り止め部３３は、組み付け状態で第１当接面５７と当接することでバッテリーポスト５１の中心軸線Ｘを回転中心としたバッテリー端子２の軸周り方向の回転を規制可能である。
【００３５】
より詳細には、第１回り止め部３３は、装着部３１から延設され、組み付け状態で第１当接面５７と対向する板状部３３ａと、この板状部３３ａを補強する複数の縦リブ３３ｂ、複数の横リブ３３ｃとを含んで構成される。板状部３３ａは、短辺方向に沿った板状に形成される。板状部３３ａは、組み付け状態において、短辺方向に沿って蓋部材５４の角部近傍位置から、凹部５６を区画する壁面（後述の第２当接面５８が形成される壁面）を越えた位置まで延設される。板状部３３ａは、第１当接面５７と対向する対向面、及び、当該対向面の背面にそれぞれ複数の縦リブ３３ｂ、複数の横リブ３３ｃが形成されている。縦リブ３３ｂは、軸方向に沿って延在する突状補強部であり、横リブ３３ｃは、短辺方向に沿って延在する突状補強部である。また、複数の縦リブ３３ｂの一部は、装着部３１まで延設され、板状部３３ａと装着部３１との連結部分を補強する。また、板状部３３ａにおいて第１当接面５７と対向する対向面に所定間隔をあけて形成された縦リブ３３ｂ、及び、横リブ３３ｃは、その先端面が実際に第１当接面５７と当接する接触面となる。この板状部３３ａの対向面に形成された縦リブ３３ｂ、及び、横リブ３３ｃの先端面（接触面）は、それぞれ略同一平面上に位置している。
【００３６】
第２回り止め部３４は、図１、図２、図４、図５、図７に示すように、装着部３１に設けられる。第２回り止め部３４は、組み付け状態で、バッテリー筐体５２に形成された第２当接面５８と対向する位置に形成される（図１、図２等参照）。第２当接面５８は、第１当接面５７と交差する方向、ここでは直交する方向に沿ってバッテリー筐体５２に形成される。本実施形態の第２当接面５８は、バッテリー筐体５２において蓋部材５４のポスト立設面５５に形成された凹部５６の壁面であって第１当接面５７が形成されたバッテリー筐体５２の側面と直交する壁面に形成される。すなわち、第２当接面５８は、略矩形状に形成された凹部５６を区画する壁面であって、長辺方向に沿った壁面に形成される。そして、第２回り止め部３４は、組み付け状態で第２当接面５８と当接することでバッテリーポスト５１の中心軸線Ｘを回転中心としたバッテリー端子２の軸周り方向の回転を規制可能である。
【００３７】
より詳細には、第２回り止め部３４は、装着部３１から延設され、組み付け状態で第２当接面５８と対向する板状部３４ａと、この板状部３４ａを装着部３１に連結する複数の連結リブ３４ｂとを含んで構成される。板状部３４ａは、長辺方向に沿った板状に形成される。板状部３４ａは、組み付け状態において、長辺方向に沿って凹部５６の角部近傍位置から、上述の板状部３３ａまで延設され、当該板状部３３ａとほぼ直交する。板状部３４ａは、第２当接面５８と対向する対向面の背面に複数の連結リブ３４ｂが形成されている。複数の連結リブ３４ｂは、装着部３１まで延設され、板状部３４ａと装着部３１との連結部分を補強する。また、板状部３４ａは、第２当接面５８と対向する対向面が実際に第２当接面５８と当接する接触面となる。当該板状部３４ａの対向面（接触面）を含む平面は、第１回り止め部３３の縦リブ３３ｂ、及び、横リブ３３ｃの先端面（接触面）を含む平面とほぼ直交する。つまり、第１回り止め部３３と第２回り止め部３４とは、図２に示すような平面視において略Ｔ字型となるように交わっている。
【００３８】
上記のように構成されるバッテリー端子ストッパ３は、装着部３１がバッテリー端子２に装着されることで、バッテリー端子２と共にバッテリー端子ユニット１を構成する（図５等参照）。そして、バッテリー端子ユニット１は、バッテリー端子２のポスト挿入孔２１ｆ、ポスト挿入孔２１ｇにバッテリーポスト５１が挿入されることで、バッテリーポスト５１に組み付けられる。そして、バッテリー端子ユニット１は、この組み付け状態で、バッテリー端子ストッパ３の第１回り止め部３３がバッテリー筐体５２の第１当接面５７と当接することでバッテリーポスト５１を回転中心としたバッテリー端子２の回転を規制し、あるいは、第２回り止め部３４がバッテリー筐体５２の第２当接面５８と当接することでバッテリーポスト５１を回転中心としたバッテリー端子２の回転を規制する。これにより、バッテリー端子ユニット１は、当該バッテリー端子ストッパ３によって、バッテリーポスト５１に対するバッテリー端子２の組み付け角度の許容範囲を相対的に狭い範囲に限定することができる。
【００３９】
図８、図９は、実施形態１に係るバッテリー端子ユニットの組み付け角度の許容範囲について説明するための部分平面図である。
【００４０】
例えば、バッテリー端子ユニット１は、図８に示すように、バッテリー端子２がバッテリー端子ストッパ３と一体となってバッテリーポスト５１を回転中心として時計回りに回転した場合、第１回り止め部３３が第１当接面５７に当接する前に第２回り止め部３４が第２当接面５８に当接し、バッテリー端子２の回転を規制する。これにより、バッテリー端子ストッパ３は、第２回り止め部３４によってバッテリー端子２の組み付け角度を規制することができる。逆に、バッテリー端子ユニット１は、図９に示すように、バッテリー端子２がバッテリー端子ストッパ３と一体となってバッテリーポスト５１を回転中心として反時計回りに回転した場合、第２回り止め部３４が第２当接面５８に当接する前に第１回り止め部３３が第１当接面５７に当接し、バッテリー端子２の回転を規制する。これにより、バッテリー端子ストッパ３は、第１回り止め部３３によってバッテリー端子２の組み付け角度を規制することができる。
【００４１】
なお、このバッテリー端子ストッパ３は、バッテリーポスト５１の取付位置寸法等における寸法公差（製造上許容される寸法誤差）に応じて発生しうる第１回り止め部３３と第１当接面５７との間のクリアランスと、第２回り止め部３４と第２当接面５８との間のクリアランスとの大小関係によっては、時計回りの回転、反時計回りの回転いずれの場合でも、第１回り止め部３３が先に第１当接面５７に当接する場合がある。同様に、バッテリー端子ストッパ３は、第１回り止め部３３と第１当接面５７との間のクリアランスと、第２回り止め部３４と第２当接面５８との間のクリアランスとの大小関係によっては、時計回りの回転、反時計回りの回転いずれの場合でも、第２回り止め部３４が先に第２当接面５８に当接する場合がある。しかしながら、これらいずれの場合でも、バッテリー端子ストッパ３は、バッテリーポスト５１に対してバッテリー端子２が回転した際に、第１回り止め部３３と第２回り止め部３４とのうち、対向する当接面（第１当接面５７、又は、第２当接面５８）とのクリアランスが狭い方が先に当接することで、バッテリー端子２の時計回りの回転、及び、反時計回りの回転を規制することになる。このため、バッテリー端子ストッパ３は、例えば、第１回り止め部３３又は第２回り止め部３４のいずれか一方を備えていないような場合と比較して、バッテリーポスト５１に対するバッテリー端子２の組み付け角度の許容範囲を相対的に狭い範囲に限定することができる。
【００４２】
そして、バッテリー端子２は、上記のようにバッテリー端子ストッパ３によって、バッテリーポスト５１に対する組み付け角度の許容範囲が相対的に狭い範囲に限定された状態で、締付部２３のボルト２３ａ及びナット２３ｂが締め付けられることで、バッテリーポスト５１に締結される。この結果、バッテリー端子ユニット１は、バッテリー端子２の組み付け角度のバラツキを相対的に小さな角度範囲内に抑制することができるので、バッテリーポスト５１に対するバッテリー端子２の組み付け精度を向上することができる。したがって、このバッテリー端子ユニット１は、例えば、製造上要求される適正な組み付け角度でバッテリー端子２をバッテリーポスト５１に組み付け、締結することができるので、バッテリー５０を車両等に搭載した状態で、バッテリー端子２に組み付けられる部品が車両側の他の部品に干渉してしまうことを抑制することができる。
【００４３】
また、このバッテリー端子ユニット１は、装着部３１、第１回り止め部３３、第２回り止め部３４が一体で形成され、装着部３１は、組み付け状態で、バッテリー端子２とバッテリー筐体５２の蓋部材５４との間に介在するものである。言い換えれば、このバッテリー端子ユニット１は、上述したようにバッテリー端子ストッパ３がバッテリー端子２に装着された後、バッテリー端子２とバッテリー端子ストッパ３とが一体となってバッテリーポスト５１に組み付けられるものであり、これにより、バッテリー端子２と蓋部材５４との間に装着部３１が介在することとなるものである。このとき、バッテリー端子ユニット１は、例えば、工員がバッテリー端子２のポスト挿入孔２１ｆ、ポスト挿入孔２１ｇにバッテリーポスト５１を挿入する際、第１回り止め部３３及び第２回り止め部３４がバッテリー端子ユニット１において水平方向に対する位置決め機構として機能することで、容易にポスト挿入孔２１ｆ、ポスト挿入孔２１ｇにバッテリーポスト５１を挿入し易くすることができる。つまり、バッテリー端子ユニット１は、第１回り止め部３３が第１当接面５７に当接し、第２回り止め部３４が第２当接面５８に当接することで、短辺方向、及び、長辺方向への位置決めをしつつ、ポスト挿入孔２１ｆ、ポスト挿入孔２１ｇにバッテリーポスト５１を挿入する動作を案内することができる。この結果、バッテリー端子ユニット１は、第１回り止め部３３、第２回り止め部３４がポスト挿入孔２１ｆ、ポスト挿入孔２１ｇにバッテリーポスト５１を挿入するための案内部材として機能することで、バッテリー端子２をバッテリーポスト５１に組み付ける際の作業性を向上することができる。
【００４４】
以上で説明したバッテリー端子ユニット１によれば、バッテリー端子２と、バッテリー端子ストッパ３とを備える。バッテリー端子２は、バッテリー筐体５２に設けられたバッテリーポスト５１に組み付けられる。バッテリー端子ストッパ３は、装着部３１と、第１回り止め部３３と、第２回り止め部３４とを有する。装着部３１は、バッテリー端子２に装着可能である。第１回り止め部３３は、装着部３１に設けられ、バッテリー端子２が装着部３１と共にバッテリーポスト５１に組み付けられた状態で、バッテリー筐体５２の側面に形成された第１当接面５７と対向し、当該第１当接面５７と当接することでバッテリーポスト５１を回転中心としたバッテリー端子２の回転を規制可能である。第２回り止め部３４は、装着部３１に設けられ、バッテリー端子２が装着部３１と共にバッテリーポスト５１に組み付けられた状態で、第１当接面５７と交差する方向に沿ってバッテリー筐体５２に形成された第２当接面５８と対向し、当該第２当接面５８と当接することでバッテリーポスト５１を回転中心としたバッテリー端子２の回転を規制可能である。したがって、バッテリー端子ユニット１、バッテリー端子ストッパ３は、バッテリーポスト５１に対するバッテリー端子２の組み付け角度の許容範囲を相対的に狭い範囲に限定することができるので、バッテリーポスト５１に対するバッテリー端子２の組み付け精度を向上することができる。
【００４５】
さらに、以上で説明したバッテリー端子ユニット１によれば、第２当接面５８は、バッテリー筐体５２においてバッテリーポスト５１が設けられるポスト立設面５５に形成され当該バッテリーポスト５１が立設される凹部５６の壁面であって第１当接面５７が形成されたバッテリー筐体５２の側面と直交する壁面に形成される。したがって、バッテリー端子ユニット１、バッテリー端子ストッパ３は、第２回り止め部３４の当接面である第２当接面５８がポスト立設面５５に形成された凹部５６の壁面に形成されることから、組み付け状態で、バッテリー端子ストッパ３において、バッテリー筐体５２の外形から出っ張る部分を相対的に少なくし省スペースとした上で、バッテリー端子２の組み付け精度を向上することができる。
【００４６】
さらに、以上で説明したバッテリー端子ユニット１によれば、第１回り止め部３３、及び、第２回り止め部３４は、装着部３１と一体で形成され、装着部３１は、バッテリー端子２が装着部３１と共にバッテリーポスト５１に組み付けられた状態で、バッテリー端子２とバッテリー筐体５２との間に介在する。したがって、バッテリー端子ユニット１、バッテリー端子ストッパ３は、第１回り止め部３３、第２回り止め部３４がポスト挿入孔２１ｆ、ポスト挿入孔２１ｇにバッテリーポスト５１を挿入するための案内部材として機能することで、バッテリー端子２をバッテリーポスト５１に組み付ける際の作業性を向上することができる。
【００４７】
［実施形態２］
図１０は、実施形態２に係るバッテリー端子ユニットの概略構成を表す部分斜視図である。図１１は、実施形態２に係るバッテリー端子ユニットの概略構成を表す部分平面図である。図１２は、実施形態２に係るバッテリー端子ユニットの概略構成を表す分解斜視図である。図１３は、実施形態２に係るバッテリー端子ユニットの概略構成を表す斜視図である。実施形態２に係るバッテリー端子ストッパ、バッテリー端子ユニットは、第２当接面、第２回り止め部の位置が実施形態１とは異なる。その他、上述した実施形態と共通する構成、作用、効果については、重複した説明はできるだけ省略する（以下で説明する実施形態、変形例でも同様である。）。
【００４８】
図１０、図１１、図１２、図１３に示す本実施形態のバッテリー端子ユニット２０１は、バッテリー端子２と、バッテリー端子ストッパ２０３とを備える。本実施形態のバッテリー端子ストッパ２０３は、装着部３１と、蓋部３２と、第１回り止め部３３と、第２回り止め部２３４とを備える。なおここでは、蓋部３２、ロック部３２ａの位置が実施形態１の場合とは異なっている。
【００４９】
第２回り止め部２３４は、装着部３１に設けられる。第２回り止め部２３４は、組み付け状態で、バッテリー筐体５２に形成された第２当接面２５８と対向する位置に形成される（図１０、図１１等参照）。第２当接面２５８は、第１当接面５７と交差する方向、ここでは直交する方向に沿ってバッテリー筐体５２に形成される。本実施形態の第２当接面２５８は、バッテリー筐体５２において第１当接面５７が形成されたバッテリー筐体５２の側面と直交する側面、ここでは、蓋部材５４のポスト立設面５５に形成された凹部５６近傍の長辺方向に沿った側面に形成される。そして、第２回り止め部２３４は、組み付け状態で第２当接面２５８と当接することでバッテリーポスト５１の中心軸線Ｘを回転中心としたバッテリー端子２の軸周り方向の回転を規制可能である。
【００５０】
より詳細には、第２回り止め部２３４は、装着部３１から延設され、組み付け状態で第２当接面２５８と対向する板状部２３４ａと、この板状部２３４ａを補強する複数の縦リブ２３４ｂ、複数の横リブ２３４ｃとを含んで構成される。板状部２３４ａは、長辺方向に沿った板状に形成される。板状部２３４ａは、組み付け状態において、長辺方向に沿って蓋部材５４の角部近傍位置から、凹部５６を区画する壁面近傍まで延設される。板状部２３４ａは、第２当接面２５８と対向する対向面、及び、当該対向面の背面にそれぞれ複数の縦リブ２３４ｂ、複数の横リブ２３４ｃが形成されている。縦リブ２３４ｂは、軸方向に沿って延在する突状補強部であり、横リブ２３４ｃは、長辺方向に沿って延在する突状補強部である。また、複数の縦リブ２３４ｂの一部は、装着部３１まで延設され、板状部２３４ａと装着部３１との連結部分を補強する。また、板状部２３４ａにおいて第２当接面２５８と対向する対向面に所定間隔をあけて形成された縦リブ２３４ｂ、及び、横リブ２３４ｃは、その先端面が実際に第２当接面２５８と当接する接触面となる。この板状部２３４ａの対向面に形成された縦リブ２３４ｂ、及び、横リブ２３４ｃの先端面（接触面）は、それぞれ略同一平面上に位置している。当該第２回り止め部２３４の縦リブ２３４ｂ、及び、横リブ２３４ｃの先端面（接触面）を含む平面は、第１回り止め部３３の縦リブ３３ｂ、及び、横リブ３３ｃの先端面（接触面）を含む平面とほぼ直交する。つまり、第１回り止め部３３と第２回り止め部２３４とは、図１１に示すような平面視において略Ｌ字型となるように交わっている。
【００５１】
上記のように構成されるバッテリー端子ストッパ２０３は、装着部３１がバッテリー端子２に装着されることで、バッテリー端子２と共にバッテリー端子ユニット２０１を構成する（図１３等参照）。そして、バッテリー端子ユニット２０１は、組み付け状態で、バッテリー端子ストッパ２０３の第１回り止め部３３がバッテリー筐体５２の第１当接面５７と当接することでバッテリーポスト５１を回転中心としたバッテリー端子２の回転を規制し、あるいは、第２回り止め部２３４がバッテリー筐体５２の第２当接面２５８と当接することでバッテリーポスト５１を回転中心としたバッテリー端子２の回転を規制する。これにより、バッテリー端子ユニット２０１は、当該バッテリー端子ストッパ２０３によって、バッテリーポスト５１に対するバッテリー端子２の組み付け角度の許容範囲を相対的に狭い範囲に限定することができる。
【００５２】
以上で説明したバッテリー端子ユニット２０１、バッテリー端子ストッパ２０３は、バッテリーポスト５１に対するバッテリー端子２の組み付け角度の許容範囲を相対的に狭い範囲に限定することができるので、バッテリーポスト５１に対するバッテリー端子２の組み付け精度を向上することができる。
【００５３】
さらに、以上で説明したバッテリー端子ユニット２０１によれば、第２当接面２５８は、バッテリー筐体５２において第１当接面５７が形成されたバッテリー筐体５２の側面と直交する側面に形成される。したがって、バッテリー端子ユニット２０１、バッテリー端子ストッパ２０３は、第２回り止め部２３４の当接面である第２当接面２５８が第１当接面５７と直交する側面に形成されることから、当該第２回り止め部２３４を適切な大きさで設けることができ、より確実にバッテリー端子の組み付け精度を向上することができる。
【００５４】
なお、上述した本発明の実施形態に係るバッテリー端子ストッパ、及び、バッテリー端子ユニットは、上述した実施形態に限定されず、特許請求の範囲に記載された範囲で種々の変更が可能である。本実施形態に係るバッテリー端子ストッパ、及び、バッテリー端子ユニットは、以上で説明した各実施形態の構成要素を適宜組み合わせることで構成してもよい。
【００５５】
以上で説明したバッテリー端子２は、導電性を有する金属板のプレス折り曲げ加工により構成されるものとして説明したがこれに限らない。また、バッテリー端子ストッパ３、２０３がバッテリー端子２に装着された状態での当該バッテリー端子２と第１回り止め部３３、第２回り止め部３４、２３４との位置関係は、製造上要求される組み付け角度に応じて適宜調節されてもよい。
【００５６】
なお、以上で説明したバッテリー端子ユニット１、２０１のバッテリー端子ストッパ３、２０３は、ともに、バッテリー端子２に装着可能である装着部３１と、装着部３１に設けられ、バッテリー端子２が装着部３１と共にバッテリーポスト５１に組み付けられた状態で、バッテリー筐体５２に形成された第１当接面５７と対向し、当該第１当接面５７と当接することでバッテリーポスト５１を回転中心としたバッテリー端子２の回転を規制可能である第１回り止め部３３と、装着部３１に設けられ、バッテリー端子２が装着部３１と共にバッテリーポスト５１に組み付けられた状態で、バッテリー筐体５２において第１当接面５７とは異なる面に形成される第２当接面５８、２５８と対向し、当該第２当接面５８、２５８と当接することでバッテリーポスト５１を回転中心としたバッテリー端子２の回転を規制可能である第２回り止め部３４、２３４とを備えるものである。上記バッテリー端子ストッパ３では、バッテリー筐体５２において第１当接面５７とは異なる面であって第２当接面５８が形成される面は、ポスト立設面５５に形成された凹部５６の壁面であって第１当接面５７が形成されたバッテリー筐体５２の側面と直交する壁面に相当する。一方、バッテリー端子ストッパ２０３では、バッテリー筐体５２において第１当接面５７とは異なる面であって第２当接面２５８が形成される面は、バッテリー筐体５２において第１当接面５７が形成されたバッテリー筐体５２の側面と直交する側面、すなわち、蓋部材５４のポスト立設面５５に形成された凹部５６近傍の長辺方向に沿った側面に相当する。なお、各回り止め部の位置、各当接面の位置関係は、上記のものに限られない。以下、図１４〜図１７を参照して変形例を説明する。
【００５７】
［変形例］
図１４、図１５、図１６、図１７は、変形例に係るバッテリー端子ユニットの概略構成を表す部分平面図である。図１４〜図１７に例示する変形例に係るバッテリー端子ユニット３０１、４０１、５０１、６０１は、各回り止め部の位置を、以上で説明した実施形態１、２とは異なる位置としている。
【００５８】
図１４に例示する変形例に係るバッテリー端子ユニット３０１は、バッテリー端子２と、バッテリー端子ストッパ３０３とを備える。本変形例のバッテリー端子ストッパ３０３は、装着部３１と、蓋部３２と、第１回り止め部３３と、第２回り止め部３３４とを備える。
【００５９】
第２回り止め部３３４は、装着部３１に設けられる。第２回り止め部３３４は、組み付け状態で、バッテリー筐体５２に形成された第２当接面３５８と対向する位置に形成される。第２当接面３５８は、バッテリー筐体５２において第１当接面５７とは異なる面に形成される。本変形例の第２当接面３５８は、バッテリー筐体５２において蓋部材５４のポスト立設面５５に形成された凹部５６の壁面であって第１当接面５７が形成されたバッテリー筐体５２の側面とほぼ平行に対向する壁面に形成される。すなわち、第２当接面３５８は、略矩形状に形成された凹部５６を区画する壁面であって、短辺方向に沿った壁面に形成される。そして、第２回り止め部３３４は、組み付け状態で第２当接面３５８と当接することでバッテリーポスト５１の中心軸線Ｘを回転中心としたバッテリー端子２の軸周り方向の回転を規制可能である。
【００６０】
より詳細には、第２回り止め部３３４は、装着部３１から延設され、組み付け状態で第２当接面３５８と対向する板状部３３４ａと、この板状部３３４ａを装着部３１に連結する複数の連結リブ３３４ｂとを含んで構成される。板状部３３４ａは、短辺方向に沿った板状に形成される。板状部３３４ａは、組み付け状態において、凹部５６を区画する壁面であって短辺方向に沿った壁面に沿って延設され、当該板状部３３ａとほぼ平行となる。板状部３３４ａは、第２当接面３５８と対向する対向面の背面に複数の連結リブ３３４ｂが形成されている。複数の連結リブ３３４ｂは、装着部３１まで延設され、板状部３３４ａと装着部３１との連結部分を補強する。また、板状部３３４ａは、第２当接面３５８と対向する対向面が実際に第２当接面３５８と当接する接触面となる。当該板状部３３４ａの対向面（接触面）を含む平面は、第１回り止め部３３の縦リブ３３ｂ、及び、横リブ３３ｃの先端面（接触面）を含む平面とほぼ平行となる。つまり、第１回り止め部３３と第２回り止め部３３４とは、図１４に示すような平面視においてほぼ平行となっている。
【００６１】
図１５に例示する変形例に係るバッテリー端子ユニット４０１は、バッテリー端子２と、バッテリー端子ストッパ４０３とを備える。本変形例のバッテリー端子ストッパ４０３は、装着部３１と、蓋部３２と、第１回り止め部４３３と、第２回り止め部３４とを備える。第１回り止め部４３３は、上述の第２回り止め部２３４（図１１参照）とほぼ同様の構成をなしている。また、第１当接面４５７は、上述の第２当接面２５８（図１１参照）とほぼ同様の構成をなしている。そして、本変形例の第２回り止め部３４が当接する第２当接面５８は、バッテリー筐体５２において第１当接面４５７とは異なる面に形成されている。
【００６２】
第１回り止め部４３３は、装着部３１に設けられる。第１回り止め部４３３は、組み付け状態で、バッテリー筐体５２に形成された第１当接面４５７と対向する位置に形成される。第１当接面４５７は、バッテリー筐体５２において第２当接面５８とは異なる面に形成される。本変形例の第１当接面４５７は、バッテリー筐体５２において第２当接面５８と平行な側面、ここでは、蓋部材５４のポスト立設面５５に形成された凹部５６近傍の長辺方向に沿った側面に形成される。そして、第１回り止め部４３３は、組み付け状態で第１当接面４５７と当接することでバッテリーポスト５１の中心軸線Ｘを回転中心としたバッテリー端子２の軸周り方向の回転を規制可能である。
【００６３】
より詳細には、第１回り止め部４３３は、装着部３１から延設され、組み付け状態で第１当接面４５７と対向する板状部４３３ａと、この板状部４３３ａを補強する複数の縦リブ４３３ｂ、複数の横リブ４３３ｃとを含んで構成される。板状部４３３ａは、長辺方向に沿った板状に形成される。板状部４３３ａ、縦リブ４３３ｂ、横リブ４３３ｃは、上述の板状部２３４ａ（図１１参照）、縦リブ２３４ｂ（図１１参照）、横リブ２３４ｃ（図１１参照）とほぼ同様の構成をなしている。この板状部４３３ａの第１当接面４５７との対向面に形成された縦リブ４３３ｂ、及び、横リブ４３３ｃの先端面（接触面）を含む平面は、第２回り止め部３４の板状部３４ａの対向面（接触面）を含む平面とほぼ平行となる。つまり、第１回り止め部４３３と第２回り止め部３４とは、図１５に示すような平面視においてほぼ平行となっている。
【００６４】
図１６に例示する変形例に係るバッテリー端子ユニット５０１は、バッテリー端子２と、バッテリー端子ストッパ５０３とを備える。本変形例のバッテリー端子ストッパ５０３は、装着部３１と、蓋部３２と、第１回り止め部５３３と、第２回り止め部３４とを備える。第１回り止め部５３３は、上述の第２回り止め部３３４（図１４参照）とほぼ同様の構成をなしている。また、第１回り止め部５３３が当接する第１当接面５５７は、上述の第２当接面３５８（図１４参照）とほぼ同様の構成をなしている。そして、本変形例の第２回り止め部３４が当接する第２当接面５８は、バッテリー筐体５２において第１当接面５５７とは異なる面に形成されている。
【００６５】
第１回り止め部５３３は、装着部３１に設けられる。第１回り止め部５３３は、組み付け状態で、バッテリー筐体５２に形成された第１当接面５５７と対向する位置に形成される。第１当接面５５７は、バッテリー筐体５２において第２当接面５８とは異なる面に形成される。本変形例の第１当接面５５７は、バッテリー筐体５２において蓋部材５４のポスト立設面５５に形成された凹部５６の壁面であって第２当接面５８が形成された凹部５６の壁面と直交する壁面に形成される。すなわち、第１当接面５５７は、略矩形状に形成された凹部５６を区画する壁面であって、短辺方向に沿った壁面に形成される。そして、第１回り止め部５３３は、組み付け状態で第１当接面５５７と当接することでバッテリーポスト５１の中心軸線Ｘを回転中心としたバッテリー端子２の軸周り方向の回転を規制可能である。
【００６６】
より詳細には、第１回り止め部５３３は、装着部３１から延設され、組み付け状態で第１当接面５５７と対向する板状部５３３ａと、この板状部５３３ａを装着部３１に連結する複数の連結リブ５３３ｂとを含んで構成される。板状部５３３ａ、連結リブ５３３ｂは、上述の板状部３３４ａ（図１４参照）、連結リブ３３４ｂ（図１４参照）とほぼ同様の構成をなしている。連結リブ５３３ｂは、一部が連結リブ３４ｂと兼用されている。当該板状部５３３ａの対向面（接触面）を含む平面は、第２回り止め部３４の板状部３４ａの対向面（接触面）を含む平面とほぼ直交する。つまり、第１回り止め部５３３と第２回り止め部３４とは、図１６に示すような平面視において略Ｌ字型となるように交わっている。
【００６７】
図１７に例示する変形例に係るバッテリー端子ユニット６０１は、バッテリー端子２と、バッテリー端子ストッパ６０３とを備える。本変形例のバッテリー端子ストッパ６０３は、装着部３１と、蓋部３２と、第１回り止め部４３３と、第２回り止め部３３４とを備える。第１回り止め部４３３、第１回り止め部４３３が当接する第１当接面４５７は、上述の図１５で説明したものとほぼ同様の構成をなしている。また、第２回り止め部３３４、第２回り止め部３３４が当接する第２当接面３５８は、上述の図１４で説明したものとほぼ同様の構成をなしている。本変形例の第２当接面３５８は、バッテリー筐体５２において第１当接面４５７とは異なる面に形成されている。ここでは、第１当接面４５７は、バッテリー筐体５２の蓋部材５４の長辺方向に沿った側面に形成され、第２当接面３５８は、第１当接面４５７と交差する方向に沿ってバッテリー筐体５２に形成される。より詳細には、第２当接面３５８は、バッテリー筐体５２の蓋部材５４においてバッテリーポスト５１が立設されるポスト立設面５５に形成された凹部５６の壁面であって第１当接面４５７が形成されたバッテリー筐体５２の側面と直交する壁面に形成される。本変形例の第１回り止め部４３３と第２回り止め部３３４とは、図１７に示すような平面視において略Ｔ字型となるように交わっている。
【００６８】
以上で説明した実施形態、変形例に係るバッテリー端子ストッパ、バッテリー端子ユニットによれば、いずれによってもバッテリーポスト５１に対するバッテリー端子２の組み付け角度の許容範囲を相対的に狭い範囲に限定することができるので、バッテリーポスト５１に対するバッテリー端子２の組み付け精度を向上することができる。
【符号の説明】
【００６９】
１、２０１、３０１、４０１、５０１、６０１    バッテリー端子ユニット
２    バッテリー端子
３、２０３、３０３、４０３、５０３、６０３    バッテリー端子ストッパ
３３、４３３、５３３    第１回り止め部
３４、２３４、３３４    第２回り止め部
５０    バッテリー
５１    バッテリーポスト
５２    バッテリー筐体
５５    ポスト立設面
５６    凹部
５７、４５７、５５７    第１当接面
５８、２５８、３５８    第２当接面
【図１】
2015118855.tif 000003
【図２】
2015118855.tif 000004
【図３】
2015118855.tif 000005
【図４】
2015118855.tif 000006
【図５】
2015118855.tif 000007
【図６】
2015118855.tif 000008
【図７】
2015118855.tif 000009
【図８】
2015118855.tif 000010
【図９】
2015118855.tif 000011
【図１０】
2015118855.tif 000012
【図１１】
2015118855.tif 000013
【図１２】
2015118855.tif 000014
【図１３】
2015118855.tif 000015
【図１４】
2015118855.tif 000016
【図１５】
2015118855.tif 000017
【図１６】
2015118855.tif 000018
【図１７】
2015118855.tif 000019